(57)【要約】  複数の人物が繰り返し生体認証の対象になる場合の、生体認証のための演算量の増加を抑制できる認証システムを提供する。  本発明の一態様に係る認証システム１１は、第１撮影装置によって撮影された映像に含まれる対象を追跡する追跡手段部１０２と、追跡されている前記対象から、生体認証の候補を検出する検出手段部１０４と、追跡されている前記対象に対して行われた生体認証の記録に基づいて、前記生体認証の候補に対して生体認証が行われたか判定する判定手段部１０５と、前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証手段部１０６と、を備える。
2020065852.tif 000002
【特許請求の範囲】
【請求項１】
第１撮影装置によって撮影された映像に含まれる対象を追跡する追跡手段と、
追跡されている前記対象から、生体認証の候補を検出する検出手段と、
追跡されている前記対象に対して行われた生体認証の記録に基づいて、前記生体認証の候補に対して生体認証が行われたか判定する判定手段と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証手段と、
を備える認証システム。
【請求項２】
前記認証手段は、前記生体認証の候補に対して生体認証が行われたと判定された場合、前記生体認証の候補に対する生体認証を行わない
請求項１に記載の認証システム。
【請求項３】
前記生体認証の候補に対して生体認証が行われていないと判定された場合、前記生体認証の候補の前記認証部位を撮影するように前記第２撮影装置を制御する制御手段
をさらに備える請求項１又は２に記載の認証システム。
【請求項４】
追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
をさらに備える請求項１乃至３のいずれか一項に記載の認証システム。
【請求項５】
前記生成手段は、前記第１撮影装置によって撮影された映像に、前記マークが重畳することによって、前記出力画像を生成する
請求項４に記載の認証システム。
【請求項６】
前記生成手段は、生体認証が行われた前記対象を示す前記マークとして、当該対象の情報が付加された前記マークを前記出力画像に重畳する、
請求項４又は５に記載の認証システム。
【請求項７】
前記第１撮影装置と、
前記第２撮影装置と、
を含む、請求項１乃至６のいずれか一項に記載の認証システム。
【請求項８】
第１撮影装置によって撮影された映像に含まれる対象を追跡する追跡手段と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証手段と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
を備える認証システム。
【請求項９】
前記認証部位は虹彩であり、前記生体認証は虹彩認証である
請求項１乃至８のいずれか１項に記載の認証システム。
【請求項１０】
第１撮影装置によって撮影された映像に含まれる対象を追跡し、
追跡されている前記対象から、生体認証の候補を検出し、
追跡されている前記対象に対して行われた生体認証の記録に基づいて、前記生体認証の候補に対して生体認証が行われたか判定し、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う、
認証方法。
【請求項１１】
前記生体認証の候補に対して生体認証が行われたと判定された場合、前記生体認証の候補に対する生体認証を行わない
請求項１０に記載の認証方法。
【請求項１２】
前記生体認証の候補に対して生体認証が行われていないと判定された場合、前記生体認証の候補の前記認証部位を撮影するように前記第２撮影装置を制御する
請求項１０又は１１に記載の認証方法。
【請求項１３】
追跡されている前記対象と、当該対象に対して生体認証が行われたか否かと、を示すマークが重畳された、前記第１撮影装置の前記撮影範囲を表す出力画像を生成し、
生成された前記出力画像を出力する、
請求項１０乃至１２のいずれか一項に記載の認証方法。
【請求項１４】
前記第１撮影装置によって撮影された映像に、前記マークが重畳することによって、前記出力画像を生成する
請求項１３に記載の認証方法。
【請求項１５】
生体認証が行われた前記対象を示す前記マークとして、当該対象の情報が付加された前記マークを前記出力画像に重畳する、
請求項１３又は１４に記載の認証方法。
【請求項１６】
第１撮影装置によって撮影された映像に含まれる対象を追跡し、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行い、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成し、
生成された前記出力画像を出力する、
認証方法。
【請求項１７】
前記認証部位は虹彩であり、前記生体認証は虹彩認証である
請求項１０乃至１６のいずれか１項に記載の認証方法。
【請求項１８】
第１撮影装置によって撮影された映像に含まれる対象を追跡する追跡処理と、
追跡されている前記対象から、生体認証の候補を検出する検出処理と、
追跡されている前記対象に対して行われた生体認証の記録に基づいて、前記生体認証の候補に対して生体認証が行われたか判定する判定処理と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証処理と、
をコンピュータに実行させるプログラムを記憶する記憶媒体。
【請求項１９】
前記認証処理は、前記生体認証の候補に対して生体認証が行われたと判定された場合、前記生体認証の候補に対する生体認証を行わない
請求項１８に記載の記憶媒体。
【請求項２０】
前記生体認証の候補に対して生体認証が行われていないと判定された場合、前記生体認証の候補の前記認証部位を撮影するように前記第２撮影装置を制御する制御処理
をさらにコンピュータに実行させるプログラムを記憶する請求項１８又は１９に記載の記憶媒体。
【請求項２１】
追跡されている前記対象と、当該対象に対して生体認証が行われたか否かと、を示すマークが重畳された、前記第１撮影装置の前記撮影範囲を表す出力画像を生成する生成処理と、
生成された前記出力画像を出力する出力処理と、
をさらにコンピュータに実行させるプログラムを記憶する請求項１８乃至２０のいずれか一項に記載の記憶媒体。
【請求項２２】
前記生成処理は、前記第１撮影装置によって撮影された映像に、前記マークが重畳することによって、前記出力画像を生成する
請求項２１に記載の記憶媒体。
【請求項２３】
前記生成処理は、生体認証が行われた前記対象を示す前記マークとして、当該対象の情報が付加された前記マークを前記出力画像に重畳する、
請求項２１又は２２に記載の記憶媒体。
【請求項２４】
第１撮影装置によって撮影された映像に含まれる対象を追跡する追跡処理と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証処理と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成処理と、
生成された前記出力画像を出力する出力処理と、
をコンピュータに実行させるプログラムを記憶する記憶媒体。
【請求項２５】
前記認証部位は虹彩であり、前記生体認証は虹彩認証である
請求項１８乃至２４のいずれか１項に記載の記憶媒体。
【発明の詳細な説明】
【技術分野】
【０００１】
本発明は、認証の技術に関し、特に、虹彩認証の技術に関する。
【背景技術】
【０００２】
特許文献１には、監視空間の制限エリア内に、認証されていない侵入者が侵入してから、所定時間が経過した場合に、異常状態を判定する認証装置が記載されている。
【先行技術文献】
【特許文献】
【０００３】
【特許文献１】特開２０１６−０４６６３９号公報
【発明の概要】
【発明が解決しようとする課題】
【０００４】
生体認証の中で、虹彩認証は、比較的多くの演算が必要な処理である。虹彩認証の回数が増加した場合、必要な演算の量も増加し、虹彩認証を行うシステムの負荷も増加する。特許文献１に記載されている技術は、人物が繰り返し虹彩認証の対象になる場合の、虹彩認証のための演算量の増加を抑制できない。【０００５】
本発明の目的の１つは、対象が繰り返し生体認証の対象になる場合の、生体認証のための演算量の増加を抑制できる認証システムを提供することである。
【課題を解決するための手段】
【０００６】
本発明の一態様に係る認証システムは、第１撮影装置によって撮影された映像に含まれる対象を追跡する追跡手段と、追跡されている前記対象から、生体認証の候補を検出する検出手段と、追跡されている前記対象に対して行われた生体認証の記録に基づいて、前記生体認証の候補に対して生体認証が行われたか判定する判定手段と、前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証手段と、を備える。【０００７】
本発明の一態様に係る認証システムは、第１撮影装置によって撮影された映像に含まれる対象を追跡する追跡手段と、追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証手段と、追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成手段と、生成された前記出力画像を出力する出力手段と、を備える。【０００８】
本発明の一態様に係る認証方法は、第１撮影装置によって撮影された映像に含まれる対象を追跡し、追跡されている前記対象から、生体認証の候補を検出し、追跡されている前記対象に対して行われた生体認証の記録に基づいて、前記生体認証の候補に対して生体認証が行われたか判定し、前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う。【０００９】
本発明の一態様に係る認証方法は、第１撮影装置によって撮影された映像に含まれる対象を追跡し、追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行い、追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成し、生成された前記出力画像を出力する。【００１０】
本発明の一態様に係る記憶媒体は、第１撮影装置によって撮影された映像に含まれる対象を追跡する追跡処理と、追跡されている前記対象から、生体認証の候補を検出する検出処理と、追跡されている前記対象に対して行われた生体認証の記録に基づいて、前記生体認証の候補に対して生体認証が行われたか判定する判定処理と、前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証処理と、をコンピュータに実行させるプログラムを記憶する。【００１１】
本発明の一態様に係る記憶媒体は、第１撮影装置によって撮影された映像に含まれる対象を追跡する追跡処理と、追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証処理と、追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成処理と、生成された前記出力画像を出力する出力処理と、をコンピュータに実行させるプログラムを記憶する。【００１２】
本発明の一態様は、上述の記憶媒体に格納されているプログラムの各々によっても実現される。
【発明の効果】
【００１３】
本発明には、対象が繰り返し認証の対象になる場合の、認証のための演算量の増加を抑制できるという効果がある。
【図面の簡単な説明】
【００１４】
【図１】図１は、本発明の第１の実施形態に係る認証システムの構成を表すブロック図である。
【図２】図２は、本発明の第１の実施形態に係る撮影装置が設置される環境を模式的に示す図である。
【図３】図３は、出力画像の一例を模式的に表す図である。
【図４】図４は、出力画像の一例を模式的に表す図である。
【図５】図５は、本発明の第１の実施形態に係る認証システムの動作の例を表すフローチャートである。
【図６】図６は、本発明の第２の実施形態に係る認証システムの構成の例を表すブロック図である。
【図７】図７は、本発明の第２の実施形態の認証システムの動作の例を表すフローチャートである。
【図８】図８は、本発明の第３の実施形態に係る認証システムの構成の例を表すブロック図である。
【図９】図９は、本発明の第３の実施形態に係る認証システムの動作の例を表すフローチャートである。
【図１０】図１０は、本発明の実施形態に係る認証システム及び認証装置を実現できるコンピュータのハードウェア構成の例を表すブロック図である。
【発明を実施するための形態】
【００１５】
次に、本発明の実施形態を、図面を参照しながら詳細に説明する。
【００１６】
＜第１の実施形態＞
本発明の第１の実施形態について、図面を参照して詳細に説明する。
【００１７】
＜構成＞
まず、本発明の第１の実施形態に係る認証システムの構成について説明する。図１は、本発明の第１の実施形態に係る認証システムの構成を表すブロック図である。
【００１８】
＜認証システム１０＞
図１に示す例では、認証システム１０は、認証装置１００と、広域カメラ２００と、認証カメラ３００と、表示装置４００とを含む。
【００１９】
図２は、本実施形態の撮影装置、すなわち、認証システム１０の広域カメラ２００及び複数の認証カメラ３００が設置される環境を模式的に示す図である。図２に示す例では、１台の広域カメラ２００と、３台の認証カメラ３００とが設置されている。１台の広域カメラ２００及び３台の認証カメラ３００は、認証装置１００と接続されている。認証装置１００の設置場所は限定されない。
【００２０】
＜認証装置１００＞
認証装置１００は、取得部１０１と、追跡部１０２と、記憶部１０３と、検出部１０４と、判定部１０５と、認証部１０６と、生成部１０７と、出力部１０８と、制御部１０９とを含む。認証装置１００は、広域カメラ２００、認証カメラ３００、及び、表示装置４００と通信可能に接続されている。
【００２１】
＜カメラ＞
広域カメラ２００及び認証カメラ３００は、例えば、部屋などの空間に設置されていてよい。広域カメラ２００は、第１撮影装置とも表記される。認証カメラ３００は、第２撮影装置とも表記される。
【００２２】
認証カメラ３００は、虹彩認証の対象を撮影するカメラである。認証カメラ３００は、虹彩認証の対象を撮影し、撮影した画像を認証装置１００に送信する。認証カメラ３００が撮影し出力する画像は、静止画像であってもよい。認証カメラが撮影し出力する画像は、動画像（すなわち、映像）であってもよい。認証カメラ３００は、例えば、歩行する人物の顔を撮影できる高さに設置されていてよい。認証カメラの焦点距離は、認証カメラ３００が設置される環境において人物の虹彩を撮影できるように予め調整されていてもよい。認証カメラ３００は、ズームを行う機能を備えていてよい。認証カメラ３００は、例えば、広角側の焦点距離で人物を撮影し、撮影された人物の虹彩の位置を検出し、虹彩の位置が画像の中心に来るよう撮影の方向を変更し、ズームし、人物の虹彩を撮影するよう構成されていてもよい。複数の認証カメラが、例えば異なる場所に設置されていてもよい。複数の認証カメラ３００は、認証装置１００に、通信可能に接続されている。以下では、１台の認証カメラ３００が設置され、認証装置１００に接続されている場合について説明する。複数の認証カメラ３００が設置され、認証装置１００に接続されている場合、認証装置１００は、１台の認証カメラ３００に関連する処理と同等の処理を、別々に、複数の認証カメラ３００について行ってよい。
【００２３】
認証カメラ３００は、例えば認証装置１００からの指示に従って、撮影可能な範囲にいる人物の虹彩を撮影するよう構成されていてよい。認証カメラ３００は、虹彩を撮影する指示を受信すると、自律的に、広角側の焦点距離で人物を撮影し、撮影された人物の虹彩の位置を検出し、虹彩の位置が画像の中心に来るよう撮影の方向を変更し、ズームし、人物の虹彩を撮影するよう構成されていてもよい。認証カメラ３００は、方向を変更する指示、ズームする指示、及び、撮影する指示などを受信すると、受信した指示に従って動作するよう構成されていてもよい。その場合、認証装置１００は、認証カメラ３００によって撮影された映像に基づいて、カメラの方向の変更を表す値、ズームの量を表す値等を算出し、認証カメラ３００に、方向を変更する指示、ズームする指示、及び、撮影する指示などを送信してよい。
【００２４】
広域カメラ２００は、認証カメラ３００が撮影する範囲を含む範囲を撮影するよう設置されたカメラである。広域カメラ２００は、広域カメラ２００及び認証カメラ３００が設置される空間全体を撮影するように設置されていてもよい。広域カメラ２００の焦点距離は、広域カメラ２００が設置されている場所から、広域カメラ２００及び認証カメラ３００が設置される空間全体を撮影できるように設定されていてもよい。広域カメラ２００は、撮影によって得られる映像を、例えば、認証装置１００の取得部１０１に送信する。
【００２５】
広域カメラ２００の認証カメラ３００との間の位置関係は、予め測定され、既知であってよい。例えば、広域カメラ２００が撮影する映像において、認証カメラ３００が虹彩を撮影できる人物の位置の範囲に対応する領域が、予め特定されていてよい。言い換えると、広域カメラ２００が撮影する映像において、人物がどこにいれば認証カメラ３００がその人物の虹彩を撮影できるか、予め特定されていてよい。例えば後述される検出部１０４が、広域カメラ２００及び認証カメラ３００の位置、方向、焦点距離等のパラメータに基づいて、広域カメラ２００が撮影する映像における、認証カメラ３００が虹彩を撮影できる人物の位置の範囲に対応する領域を特定してもよい。
【００２６】
＜表示装置４００＞
表示装置４００は、例えば、ディスプレイや、端末装置等の、受信した画像等を表示する機能を備える装置である。表示装置４００が可搬端末装置である場合、広域カメラ２００は、その可搬端末装置に搭載されたカメラであってもよい。
【００２７】
＜取得部１０１＞
取得部１０１は、広域カメラ２００から、広域カメラ２００が撮影した映像を受け取る。取得部１０１は、さらに、認証カメラ３００から、認証カメラ３００が撮影した画像を受け取る。取得部１０１は、広域カメラ２００から受け取った映像を、追跡部１０２と、検出部１０４とに送出する。取得部１０１は、広域カメラ２００から受け取った映像を、生成部１０７に送出してもよい。取得部１０１は、認証カメラ３００から受け取った画像を、認証部１０６に送出してもよい。取得部１０１は、認証カメラ３００から受け取った画像を、さらに、検出部１０４に送出してもよい。
【００２８】
＜追跡部１０２＞
追跡部１０２は、取得部１０１から受け取った映像（以下、広域映像と表記する）から人物を抽出し、抽出した人物を追跡する。言い換えると、追跡部１０２は、映像の複数のフレームの各々において人物の領域を抽出し、隣接するフレーム間で対応する人物の領域を特定し、映像において同一の人物の領域の変遷を追跡する。追跡部１０２は、既存の様々な人物を追跡する方法のいずれかを使用して、広域映像において人物を追跡してよい。
【００２９】
追跡部１０２は、追跡している人物に識別子（以下、追跡識別子とも表記）を割り当ててよい。そして、追跡部１０２は、例えば、映像のフレームにおいて人物が抽出された領域の位置と、フレームの番号と、人物の識別子とを互いに関連付けてよい。追跡部１０２は、追跡されている人物の情報（以下、追跡情報とも表記）、すなわち、互いに関連付けられた、人物が抽出された領域の位置と、フレームの番号と、人物の識別子とを、記憶部１０３に格納してよい。追跡識別子は、追跡されている人物を区別できるように割り当てられる。追跡部１０２は、広域カメラ２００によって撮影された映像、すなわち、上述の広域映像から、追跡されている人物ではない人物が新たに検出された場合、検出された人物に、例えば、後述される記憶部１０３に格納されている追跡情報に含まれない追跡識別子を割り当ててよい。
【００３０】
追跡部１０２は、最後に検出されてから所定時間が経過した人物の追跡情報を、記憶部１０３から削除してもよい。
【００３１】
追跡部１０２は、追跡されている人物の情報、すなわち、追跡情報を、検出部１０４に送出する。
【００３２】
＜記憶部１０３＞
記憶部１０３は、追跡情報、すなわち、フレーム毎の、人物が抽出された領域の位置と、抽出された人物の識別子とを記憶する。具体的には、記憶部１０３は、追跡部１０２によって格納された、互いに関連付けられている、人物が抽出された領域の位置と、フレームの番号と、人物の識別子（すなわち、追跡識別子）とを、追跡情報として記憶していてよい。
【００３３】
記憶部１０３は、さらに、追跡されている人物に対して後述の認証部１０６によって行われた、虹彩認証の情報（以下、認証記録情報とも表記）を記憶する。認証記録情報は、例えば、追跡されている人物の追跡識別子と、追跡識別子と関連付けられている、その追跡識別子が示す人物に対して行われた虹彩認証の結果を表す情報とを含んでいてもよい。虹彩認証の結果を表す情報は、例えば、虹彩認証が行われたが人物を特定できなかったことを表す情報、及び、虹彩認証が行われ人物を特定できたことを表す情報のいずれかであってもよい。虹彩認証の結果を表す情報が、虹彩認証が行われ人物を特定できたことを表す情報である場合、追跡識別子は、虹彩認証によって特定された、登録されている人物を表す情報に関連付けられていてよい。登録されている人物を表す情報は、例えば、登録されている人物の識別子（以下、登録識別子と表記）であってよい。虹彩認証の結果を表す情報が、登録識別子であってもよい。認証記録情報は、例えば、虹彩認証が行われた日時を含んでいてもよい。認証記録情報は、後述の認証部１０６によって格納される。
【００３４】
本実施形態では、認証記録情報に追跡識別子が含まれていない場合、認証記録情報は、その追跡識別子が示す人物に対する虹彩認証が実施されていないことを表す。
【００３５】
記憶部１０３は、互いに関連付けられている、人物の登録識別子と、虹彩認証に使用される情報（例えば、人物の虹彩の画像から抽出された特徴量）とを含む情報（以下、登録情報と表記）記憶する。登録情報は、例えば、認証システム１０のオペレータなどの操作によって、予め記憶部１０３に格納される。上述の、登録されている人物は、登録識別子と虹彩認証に使用される情報とが記憶部１０３に予め格納されている人物を指す登録情報は、人物の情報（例えば、氏名、所属、地位などのプロフィール情報）や他の情報を含んでいてもよい。
【００３６】
＜検出部１０４＞
検出部１０４は、取得部１０１から、広域カメラ２００によって撮影された映像を受け取る。検出部１０４は、取得部１０１から、認証カメラ３００によって撮影された映像を受け取ってもよい。取得部１０１は、追跡部１０２から、追跡されている人物の情報を受け取る。追跡されている人物の情報は、例えば、広域カメラ２００によって撮影された映像における、追跡されている人物の位置の情報（例えば、追跡されている人物の領域を特定する座標等）及びその人物の識別子（すなわち、上述の追跡識別子）である。
【００３７】
検出部１０４は、追跡されている人物の中から、認証カメラ３００が虹彩を撮影できる範囲にいる人物である候補人物を検出する。具体的には、検出部１０４は、広域カメラ２００によって撮影された映像における、追跡されている人物の位置に基づいて、人物が存在する空間における人物の位置を推定してもよい。検出部１０４は、推定した人物の上述の空間における位置と、認証カメラ３００が設置されている位置との間の距離が、所定距離以下である場合に、その人物が、認証カメラ３００が虹彩を撮影できる範囲にいる人物（すなわち候補人物）であると判定してもよい。
【００３８】
検出部１０４は、認証カメラ３００の映像から人物を検出し、検出した人物が、認証カメラ３００が虹彩を撮影できる範囲にいるか否かを判定してもよい。検出部１０４は、例えば、認証カメラ３００が撮影した映像において、検出した人物の顔のサイズを算出し、顔のサイズに基づいて、検出した人物が、認証カメラ３００が虹彩を撮影できる範囲にいるか否かを判定してもよい。具体的には、検出部１０４は、人物の顔のサイズが、認証カメラ３００の焦点距離に応じた所定顔サイズよりも大きい場合に、検出した人物が、認証カメラ３００が虹彩を撮影できる範囲にいると認定してもよい。検出部１０４は、例えば、認証カメラ３００が撮影した映像において、検出した人物の瞳のサイズを算出し、算出した瞳のサイズに基づいて、検出した人物が、認証カメラ３００が虹彩を撮影できる範囲にいるか否かを判定してもよい。具体的には、検出部１０４は、人物の瞳のサイズが、認証カメラ３００の焦点距離に応じた所定瞳サイズよりも大きい場合に、検出した人物が、認証カメラ３００が虹彩を撮影できる範囲にいると認定してもよい。これらの場合、検出部１０４は、取得部１０１を介して、映像を撮影した際の認証カメラ３００の焦点距離の情報を取得しておく。認証カメラ３００の焦点距離の情報は、例えば、認証カメラ３００から送られる映像のデータに含まれていてもよい。
【００３９】
認証カメラ３００の映像から検出された人物が、認証カメラ３００が虹彩を撮影できる範囲にいると判定された場合、検出部１０４は、認証カメラ３００の映像から検出された人物に該当する、広域カメラ２００の映像において追跡されている人物を特定する。検出部１０４は、例えば、人物の服装、人物の形状、人物の位置、及び、人物の向き等の人物の特徴に基づいて、認証カメラ３００の映像から検出された人物に該当する、追跡されている人物を特定してよい。
【００４０】
具体的には、検出部１０４は、認証カメラ３００の映像における人物と、広域カメラ２００の映像における、追跡されている人物とから、人物の特徴を検出してよい。検出部１０４は、検出された、一致する人物の特徴が所定基準を満たす場合、認証カメラ３００の映像における人物が、追跡されている人物に該当すると判定してよい。検出部１０４は、例えば、双方の映像の人物から検出された特徴に対する、一致する特徴の割合が、所定値より大きい場合に、一致する人物の特徴が所定基準を満たすと認定してもよい。人物の特徴には、それぞれ、重みが付与されていてもよい。検出部１０４は、例えば、一致する特徴の重みの和をスコアとして算出し、算出されたスコアが所定値を超える場合に、一致する人物の特徴が所定基準を満たすと認定してもよい。
【００４１】
人物の服装は、例えば、着衣の色や種類などであってもよい。人物の服装に、眼鏡、帽子、スカーフ、マフラー、手袋、ステッキ、傘、バッグなどの装備品の有無、種類、形状、色などが含まれていてもよい。人物の形状は、例えば、体型、髪型、髪の色などである。人物の位置は、例えば、認証カメラによって複数の人物が撮影されている場合の、撮影されている複数の人物の中における、人物の配置（例えば、右から２番目等）であってもよい。人物の位置は、例えば、認証カメラ３００の映像において、右側であるか、左側であるかを表していてもよい。人物の向きは、認証カメラ３００に対して、人物の顔が向いている方向であってもよい。人物の向きは、認証カメラ３００に対して、人物の体が向いている方向であってもよい。
【００４２】
認証カメラ３００の映像から検出された人物に該当する、追跡されている人物を特定した場合、検出部１０４は、特定された、追跡されている人物の追跡識別子を、判定部１０５に送出する。検出部１０４は、さらに、認証カメラ３００によって撮影された映像を、例えば判定部１０５を介して、認証部１０６に送出する。検出部１０４は、認証カメラ３００によって撮影された映像を、判定部１０５に送出してよい。そして、判定部１０５が、後述のように、検出部１０４から映像を受け取り、受け取った映像を認証部１０６に送出してよい。
【００４３】
例えば検出部１０４が判定部１０５を介して認証部１０６に送出する、認証カメラ３００によって撮影された映像を、虹彩認証用画像とも表記する。検出部１０４は、認証カメラ３００によって撮影されている映像から、虹彩認証に適したフレームを抽出し、抽出したフレームの画像データを、虹彩認証用画像として、判定部１０５に送出してもよい。検出部１０４は、例えば、瞳のサイズが所定サイズよりも大きく、瞳の領域の鮮明さが所定基準を満たすフレームを抽出し、抽出したフレームを判定部１０５に送出してよい。検出部１０４は、瞳の領域にエッジ検出フィルタを適用することによって検出されたエッジの量に基づいて、瞳の領域の鮮明さを判定してもよい。検出部１０４は、瞳の領域の鮮明さを、画像の鮮明さを評価する既存の様々な方法や、画像の所定領域にピントがあっているか否かを判定する既存の様々な方法のいずれかによって評価してもよい。
【００４４】
認証カメラ３００によって、虹彩認証に適した映像が得られていない場合、検出部１０４は、制御部１０９に対して、虹彩の映像を取得するように認証カメラ３００を制御する指示を送ってもよい。
【００４５】
なお、後述されるように、認証カメラ３００によって、虹彩認証に適した映像が得られていない場合に、判定部１０５が、制御部１０９に対して、虹彩の映像を取得するように認証カメラ３００を制御する指示を送るよう構成されていてもよい。検出部１０４は、認証カメラ３００によって、虹彩認証に適した映像が得られていない場合に、制御部１０９に対して、虹彩の映像を取得するように認証カメラ３００を制御する指示を送るよう構成されていなくてもよい。さらに、認証カメラ３００によって、虹彩認証に適した映像が得られていない場合、検出部１０４は、判定部１０５に（具体的には、判定部１０５を介して認証部１０６に）、虹彩認証用画像を送出しなくてよい。検出部１０４は、認証カメラ３００によって、虹彩認証に適した映像が得られていない場合、虹彩認証用画像を判定部１０５に送出しなくてよい。検出部１０４は、例えば、虹彩認証用画像を送出しないことを表す情報を、判定部１０５に送出してもよい。
【００４６】
＜判定部１０５＞
判定部１０５は、検出部１０４から、追跡識別子を受け取る。判定部１０５は、さらに、検出部１０４から、虹彩認証用画像を受け取ってもよい。判定部１０５は、制御部１０９から、虹彩認証用画像を受け取ってもよい。判定部１０５は、受け取った追跡識別子と、追跡されている人物に対して行われた虹彩認証の記録（すなわち、上述の認証記録情報）に基づいて、候補人物に対して虹彩認証が行われたか判定する。具体的には、判定部１０５は、認証記録情報に、受け取った追跡識別子が含まれているか否かを判定してよい。そして、判定部１０５は、認証記録情報に、受け取った追跡識別子が含まれている場合、追跡されている人物に対して虹彩認証が行われたと判定してよい。判定部１０５は、認証記録情報に、受け取った追跡識別子が含まれていない場合、追跡されている人物に対して虹彩認証が行われていないと判定してよい。
【００４７】
判定部１０５は、認証記録情報が、追跡識別子が示す人物に対する虹彩認証が行われたが人物を特定できなかったことを表している場合、追跡されている人物に対して虹彩認証が成功していないと判定してもよい。
【００４８】
追跡されている人物に対して虹彩認証が行われていないと判定した場合、判定部１０５は、虹彩認証用画像と、追跡識別子とを、認証部１０６に送出する。追跡されている人物に対して虹彩認証が成功していないと判定した場合も、判定部１０５は、虹彩認証用画像と、追跡識別子とを、認証部１０６に送出してもよい。
【００４９】
追跡されている人物に対して虹彩認証が行われたと判定した場合、判定部１０５は、虹彩認証用画像と、追跡識別子とを、認証部１０６に送出しなくてよい。追跡されている人物に対する虹彩認証によって、その人物に該当する、登録されている人物を特定できている場合に、判定部１０５は、虹彩認証用画像と、追跡識別子とを、認証部１０６に送出しなくてもよい。虹彩認証用画像と、追跡識別子とを、認証部１０６に送出しない場合、判定部１０５は、生成部１０７に対して、出力画像を生成する指示を送信してよい。この場合、後述の認証部１０６による虹彩認証は、行われない（言い換えると、スキップされる）。
【００５０】
なお、判定部１０５は、最後に虹彩認証が行われてから所定時間以上の時間が経過している場合、追跡されている人物に虹彩認証が行われたか否かに関わらず、虹彩認証用画像と、追跡識別子とを、認証部１０６に送出してもよい。
【００５１】
追跡されている人物に対して虹彩認証が行われている場合、追跡されている人物の、虹彩認証に適した映像は得られていなくてもよい。従って、追跡されている人物に対して虹彩認証が行われているか否かを判定する前に、虹彩認証に適した映像は得られていなくてもよい。
【００５２】
例えば、検出部１０４が虹彩認証用画像を送出しない場合、及び、検出部１０４から虹彩認証用画像を送出しないことを表す情報を受け取った場合、判定部１０５は、虹彩認証に適した映像が得られていないと判定してよい。追跡されている人物に対して虹彩認証が行われていないと判定され、認証カメラ３００によって、虹彩認証に適した映像が得られていない場合、判定部１０５が、制御部１０９に対して、虹彩の映像を取得するように認証カメラ３００を制御する指示を送ってもよい。判定部１０５がこのように構成されている場合、検出部１０４は、制御部１０９に対して、虹彩の映像を取得するように認証カメラ３００を制御する指示を送るよう構成されていなくてよい。この場合、判定部１０５は、検出部１０４ではなく、制御部１０９から、虹彩認証に適した虹彩認証用画像を受け取ってよい。
【００５３】
＜認証部１０６＞
認証部１０６は、判定部１０５から、虹彩認証用画像と、追跡識別子とを受け取る。判定部１０５から、虹彩認証用画像と、追跡識別子とを受け取った場合、すなわち、追跡されている人物に対して虹彩認証が行われていないと判定された場合、認証部１０６は、受け取った虹彩認証用画像を使用して虹彩認証を行う。虹彩認証用画像は、上述のように、認証カメラ３００によって撮影された映像（言い換えると、映像の少なくとも一部）である。認証部１０６は、取得部１０１から、虹彩認証用画像として使用する映像を受け取ってもよい。その場合、取得部１０１は、認証カメラ３００から受け取った映像を、認証部１０６に送出してもよい。なお、図１において、取得部１０１から認証部１０６への映像の送信を表す線は、簡単のため省略されている。
【００５４】
認証部１０６は、受け取った虹彩認証用画像から、虹彩の領域を検出し、検出した虹彩の領域から特徴量（すなわち、虹彩の特徴量）を抽出する。認証部１０６は、抽出した虹彩の特徴量と、記憶部１０３に格納されている、登録された人物の虹彩の特徴量とを比較する。認証部１０６が虹彩の特徴量を比較するために使用する方法は、既存の様々な方法のいずれかであってよい。すなわち、認証部１０６は、既存の様々な虹彩認証方法のいずれかを使用して、虹彩認証を行ってよい。認証部１０６が抽出する虹彩の特徴量及び登録されている虹彩の特徴量は、認証部１０６が使用する虹彩認証方法に応じて定まる特徴量であってよい。
【００５５】
認証部１０６は、行った虹彩認証の結果に応じて、例えば以下で説明するように、認証記録情報を更新する。言い換えると、認証部１０６は、虹彩認証の結果を、認証記録情報に追加することによって、認証記録情報を更新する。認証部１０６は、更新情報を更新する際、虹彩認証の結果に、虹彩認証が行われた日時を関連付け、虹彩認証の結果と虹彩認証が行われた日時とを、認証記録情報に追加してもよい。
【００５６】
虹彩認証によって、追跡されている人物に該当する、登録されている人物を特定できた場合、認証部１０６は、受け取った追跡識別子に、上述の、虹彩認証が行われ人物を特定できたことを表す情報を関連付ける。そして、認証部１０６は、互いに関連付けられた、受け取った追跡識別子と虹彩認証が行われ人物を特定できたことを表す情報とを、記憶部１０３に、認証記録情報として格納する。この場合、認証部１０６は、互いに関連付けられた、受け取った追跡識別子と虹彩認証が行われ人物を特定できたことを表す情報とを、虹彩認証の結果として、記憶部１０３に格納されている認証記録情報に追加してよい。虹彩認証が行われ人物を特定できたことを表す情報は、上述のように、追跡されている人物に該当する、登録されている人物の登録識別子であってよい。
【００５７】
虹彩認証によって、追跡されている人物に該当する、登録されている人物を特定できなかった場合、認証部１０６は、受け取った追跡識別子に、上述の、虹彩認証が行われたが人物を特定できなかったことを表す情報を関連付ける。虹彩認証が行われたが人物を特定できなかったことを表す情報は、例えば、特定できない人物を示すように設定された（又は、誰も示さないように設定された）登録識別子であってもよい。この場合、認証部１０６は、互いに関連付けられた、受け取った追跡識別子と虹彩認証が行われたが人物を特定できなかったことを表す情報とを、記憶部１０３に、認証記録情報として格納する。この場合、認証部１０６は、互いに関連付けられた、受け取った追跡識別子と虹彩認証が行われたが人物を特定できなかったことを表す情報とを、虹彩認証の結果として、記憶部１０３に格納されている認証記録情報に追加してよい。
【００５８】
なお、認証部１０６は、虹彩認証が行われてから所定時間が経過した、虹彩認証の結果を、認証記録情報から削除してもよい。
【００５９】
認証記録情報を更新した後、認証部１０６は、生成部１０７に対して、出力画像を生成する指示を送信してよい。
【００６０】
＜生成部１０７＞
生成部１０７は、判定部１０５及び認証部１０６から、出力画像を生成する指示を受信する。生成部１０７は、判定部１０５又は認証部１０６から、出力画像を生成する指示を受信した場合、以下で詳しく説明するように、出力画像を生成する。具体的には、生成部１０７は、例えば以下で詳しく説明するような、追跡されている人物と、その人物に対して虹彩認証が行われたか否かと、を示すマークが重畳された、広域カメラ２００の撮影範囲を表す出力画像を生成する。
【００６１】
生成部１０７は、広域カメラ２００の撮影範囲を表す画像として、広域カメラ２００によって撮影された映像を使用してもよい。生成部１０７は、広域カメラ２００の撮影範囲を表す画像として、広域カメラ２００の撮影範囲の形状を表す図形を使用してもよい。撮影範囲の形状を表す図形は、撮影範囲の空間（例えば部屋等）を、真上から見下ろした図であってもよい。範囲を表す画像として、広域カメラ２００の撮影範囲の形状を表す図形を使用してもよい。撮影範囲の形状を表す図形は、撮影範囲の空間を、斜め上から見た図であってもよい。
【００６２】
生成部１０７は、広域カメラ２００によって撮影された映像に、上述のマークが重畳された画像を、出力画像として生成してもよい。生成部１０７は、虹彩認証が行われた人物を示すマークに、その人物の情報を付加してもよい。
【００６３】
マークは、例えば、検出された人物を囲む矩形などの図形や、検出された人物の領域を示す、矢印やチェックマークなどの図形や、名前を表す文字であってもよい。マークは、例えば、色及び明るさの少なくともいずれかを変更した、検出された人物の領域であってもよい。マークは、点滅していてもよい。マークの色や大きさが、時間の経過に応じて変化してもよい。
【００６４】
生成部１０７は、虹彩認証が行われた人物と、虹彩認証が行われていない人物とを、判別できるように、虹彩認証が行われた人物を示すマークとして、虹彩認証が行われていない人物を示すマークと区別できるマークを使用する。生成部１０７は、虹彩認証によって該当する登録されている人物が特定された人物を示すマークとして、虹彩認証によって該当する登録されている人物が特定されなかった人物を示すマークと区別できるマークを使用してよい。以下、虹彩認証が行われていない人物を示すマークを、未認証マークと表記する。虹彩認証が行われた人物を示すマークを、認証マークと表記する。虹彩認証によって該当する登録されている人物が特定された人物を示すマークを、特定マークと表記する。虹彩認証によって該当する登録されている人物が特定されなかった人物を示すマークを、非特定マークと表記する。認証マークは、特定マークと非特定マークとを含む。
【００６５】
未認証マーク、特定マーク、及び、非特定マークは、色、線の太さ、大きさ、形状、付加されている文字又は文字列の少なくともいずれかにおいて異なっていてもよい。未認証マーク、特定マーク、及び、非特定マークは、点滅の頻度、点滅のパターン、色や大きさの変化のパターンにおいて異なっていてもよい。
【００６６】
点滅するマーク、色や大きさが変化するマークなど、時間の経過に応じて変化するマークを出力画像に重畳する場合、生成部１０７は、マークが変化するように見えるよう、出力画像の連続するフレーム間で、同じ人物を示すマークの色や大きさを変化させる。動画像のフレーム間隔より長い時間、人物の位置等の人物の状態が変化しない画像に、変化するマークを重畳する場合、生成部１０７は、同一のフレームが連続する動画像に、同様にして変化するマークを重畳してよい。
【００６７】
図３は、出力画像の一例を模式的に表す図である。図３に示す例は、２人の人物が存在する長方形の部屋を上方から見下ろした画像を表す。左上の円は、虹彩認証が行われ、虹彩認証によって、名前が「Ａ」であることが特定された人物を表す。右下の円は、虹彩認証が行われていない人物を表す。
【００６８】
図４は、出力画像の一例を模式的に表す図である。図４に示す例は、２人の人物が存在する長方形の部屋を、斜め上から広域カメラ２００によって撮影した映像に、マークを重畳した画像の状態を表す。図４の左側の、矩形によって囲まれた人物は、虹彩認証が行われていない人物を表す。図４の右側の、頭上にチェックマークが表示されている人物は、虹彩認証が行われた人物を表す。
【００６９】
生成部１０７は、生成した出力画像を、出力部１０８に送出する。
【００７０】
＜出力部１０８＞
出力部１０８は、生成部１０７から出力画像を受け取り、受け取った出力画像を、例えば、表示装置４００に出力する。
【００７１】
＜制御部１０９＞
制御部１０９は、検出部１０４から、虹彩の映像を取得するように認証カメラ３００を制御する指示を受け取ってもよい。制御部１０９は、判定部１０５から、虹彩の映像を取得するように認証カメラ３００を制御する指示を受け取ってもよい。虹彩の映像を取得するように認証カメラ３００を制御する指示を受け取った場合、制御部１０９は、認証カメラ３００に、撮影を指示してもよい。制御部１０９は、取得部１０１から、認証カメラ３００が撮影した画像を受け取ってもよい。制御部１０９は、取得部１０１から受け取った、認証カメラ３００が撮影した画像が、虹彩認証に適しているか否かを判定する。制御部１０９が、虹彩認証に適しているか否かを判定するために使用する判定方法は、上述の、検出部１０４が、虹彩認証に適しているか否かを判定するために使用する判定方法と同じでよい。
【００７２】
取得部１０１から受け取った、認証カメラ３００が撮影した画像が、虹彩認証に適していない場合、制御部１０９は、認証カメラ３００が、候補人物の虹彩を撮影するよう、認証カメラ３００を制御する。
【００７３】
具体的には、制御部１０９は、認証カメラ３００によって撮影される候補人物の顔が、認証カメラ３００の方を向くまで待機してもよい。認証カメラ３００によって撮影される候補人物の視線が、認証カメラ３００の方を向くまで待機してもよい。さらに具体的には、制御部１０９は、認証カメラ３００によって撮影される映像において、候補人物の顔の向き又は視線の向きを推定する。例えば推定された向きと、認証カメラ３００の光軸とがなす角度が、所定角度以下である場合、制御部１０９は、候補人物の顔（又は視線）が、認証カメラ３００の方を向いたと認定してよい。制御部１０９は、認証カメラ３００によって撮影される映像において、瞳の領域を検出し、瞳の外周の形状を楕円によって近似してもよい。そして、得られた楕円の離心率が所定値以下である場合、制御部１０９は、候補人物の顔（又は視線）が、認証カメラ３００の方を向いたと認定してよい。
【００７４】
候補人物の顔（又は視線）が、認証カメラ３００の方を向いた場合、制御部１０９は、まだ瞳の領域を検出していなければ瞳の領域を検出する。制御部１０９は、さらに、認証カメラ３００によって撮影された映像における瞳の領域の位置が、撮影された映像の中心又は中心付近になるように、認証カメラ３００の方向を制御する。具体的には、制御部１０９は、映像における検出された瞳の位置と、認証カメラ３００のパラメータとに基づいて、撮影された映像における瞳の領域の位置を映像の中心に移動させるための、認証カメラ３００の回転を推定する。制御部１０９は、推定した回転を行う指示を、認証カメラ３００に送信する。認証カメラ３００は、受け取った指示に従って、方向を変更する。
【００７５】
制御部１０９は、さらに、瞳の領域のサイズ（例えば長径）が、所定サイズより大きいか判定する。制御部１０９は、瞳の領域のサイズと、認証カメラ３００のパラメータとに基づいて、撮影された映像における瞳の領域のサイズが所定サイズより大きくなるための、認証カメラ３００の焦点距離を推定する。制御部１０９は、焦点距離を推定した焦点距離に変更する指示を、認証カメラ３００に送信する。認証カメラ３００は、受け取った指示に従って、焦点距離を変更する。
【００７６】
判定部１０５から、虹彩の映像を取得するように認証カメラ３００を制御する指示を受け取った場合は、制御部１０９は、指示を送信した後に取得部１０１によって取得された、認証カメラ３００によって撮影された画像を、取得部１０１から受け取る。制御部１０９は、受け取った画像が虹彩認証に適しているか否かを判定する。受け取った画像が虹彩認証に適していると判定した場合、制御部１０９は、受け取った画像を、虹彩認証用画像として、判定部１０５に送出する。
【００７７】
受け取った画像が虹彩認証に適していないと判定した場合、制御部１０９は、再度、回転と焦点距離とを推定し、推定した回転を行う指示と、焦点距離を推定した焦点距離に変更する指示とを、認証カメラ３００に送信してもよい。制御部１０９は、受け取った画像のピントが合っているか否かを判定してもよい。受け取った画像のピントが合っていないと判定した場合、制御部１０９は、合焦をやり直す指示を、認証カメラ３００に送信してもよい。認証カメラ３００は、受け取った指示に従って、合焦をやり直してもよい。
【００７８】
＜動作＞
次に、本実施形態の認証システム１０の動作について、図面を参照して詳細に説明する。
【００７９】
図５は、本実施形態の認証システム１０の動作の例を表すフローチャートである。認証システム１０は、例えば、認証システム１０のオペレータの操作によって、図５に示す動作を開始してよい。認証システム１０は、例えば認証システム１０のオペレータの操作によって、動作を終了する指示が行われるまで、図５に示す動作を繰り返してよい。
【００８０】
図５に示す動作では、まず、取得部１０１が、広域カメラ２００から広域カメラ２００が撮影した映像を取得する（ステップＳ１０１）。取得部１０１は、さらに、認証カメラ３００から認証カメラ３００が撮影した映像を取得してもよい。
【００８１】
次に、追跡部１０２が、広域カメラ２００から受け取った、広域カメラ２００が撮影した映像において、映像に含まれる人物を追跡する（ステップＳ１０２）。
【００８２】
検出部１０４は、例えば、広域カメラ２００及び認証カメラのパラメータや位置関係に基づいて、上述の候補人物を検出する（ステップＳ１０３）。検出部１０４は、広域カメラ２００の映像及び認証カメラ３００の映像に基づいて、候補人物を検出してもよい。
【００８３】
候補人物が検出されない場合（ステップＳ１０４においてＮＯ）、認証システム１０は、次に、ステップＳ１１１の動作を行う。候補人物が検出された場合（ステップＳ１０４においてＹＥＳ）、判定部１０５は、候補人物の虹彩認証が既に行われたか判定する（ステップＳ１０５）。
【００８４】
ステップＳ１０３において、複数の候補人物が検出された場合、認証システム１０は、検出された複数の候補人物毎に、ステップＳ１０５からステップＳ１１０までの動作を行えばよい。
【００８５】
候補人物の虹彩認証が行われている場合（ステップＳ１０６においてＹＥＳ）、認証システム１０は、次に、ステップＳ１１１の動作を行う。候補人物の虹彩認証が行われていない場合（ステップＳ１０６においてＮＯ）、制御部１０９は、認証カメラ３００に撮影を指示してもよい（ステップＳ１０７）。ステップＳ１０１において、虹彩認証に適した、虹彩認証用の画像が既に取得されている場合、認証システム１０は、ステップＳ１０７及びステップＳ１０８の動作を行わなくてよい。その場合、例えば、検出部１０４が、虹彩認証用の画像を、判定部１０５を介して認証部１０６に向けて送出する。
【００８６】
取得部１０１は、認証カメラ３００から、虹彩認証用の画像を取得する（ステップＳ１０８）。ステップＳ１０８において、例えば制御部１０９は、認証カメラ３００によって撮影された画像が虹彩認証に適しているか否かを判定してもよい。認証カメラ３００によって撮影された画像が虹彩認証に適していないと判定された場合、制御部１０９は、虹彩認証に適した画像が撮影されるように、認証カメラ３００を制御してもよい。この場合、制御部１０９が、虹彩認証に適している虹彩認証用の画像を、例えば判定部１０５を介して、認証部１０６に向けて送出してもよい。
【００８７】
次に、認証部１０６は、候補人物の虹彩認証を行う（ステップＳ１０９）。認証部１０６は、虹彩認証の結果を記憶部１０３に格納する（ステップＳ１１０）。言い換えると、認証部１０６は、虹彩認証の結果によって、虹彩認証の記録（すなわち、上述の認証記録情報）を更新する。
【００８８】
次に、生成部１０７が、追跡情報と虹彩認証の記録とに基づいて、出力画像を生成する（ステップＳ１１１）。そして、出力部１０８が、生成された出力画像を出力する（ステップＳ１１２）。
【００８９】
＜効果＞
以上で説明した本実施形態には、人物等の対象が繰り返し虹彩認証等の生体認証の対象になる場合の、生体認証のための演算量の増加を抑制できるという効果がある。その理由は、判定部１０５が、虹彩認証を行う候補であり、追跡されている人物である候補人物に対して、既に虹彩認証が行われているか否かを判定するからである。そして、認証部１０６が、候補人物に対して虹彩認証が行われている場合に、その候補人物に対する虹彩認証を行わないからである。従って、同一の人物が繰り返し虹彩認証の対象になる場合に、繰り返し虹彩認証を行わなくてよいので、虹彩認証のための演算量の増加を抑制できる。
【００９０】
＜変形例＞
以上で説明した本実施形態では、認証が虹彩認証であり、認証の対象が人物である。本実施形態は、認証が、顔認証や歩容認証など、カメラによって撮影された映像を使用して行える様々な認証に適用できる。認証の方法は、既存の様々な方法のいずれかであってよい。また、認証の対象は、必ずしも人物でなくてもよい。認証の対象は、例えば、フェンスによって囲まれた牧場などのスペースにいる動物であってもよい。その場合の認証の方法は、認証の対象に適した方法であってよい。例えば、認証の対象が牛である場合、鼻にある凹凸のパターンである、鼻紋を使用して認証を行ってよい。また、認証の対象が、毛皮に固体特有の文様がある動物である場合、認証は、毛皮の固体特有の文様の一致度に基づく認証であってもよい。
【００９１】
＜第２の実施形態＞
次に、本発明の第２の実施形態について、図面を参照して詳細に説明する。
【００９２】
＜構成＞
本実施形態に係る認証システム１１の構成について説明する。図６は、本実施形態に係る認証システム１１の構成の例を表すブロック図である。
【００９３】
図６に示すように、本実施形態の認証システム１１は、追跡部１０２と、検出部１０４と、判定部１０５と、認証部１０６と、を備える。
【００９４】
追跡部１０２は、第１撮影装置によって撮影された映像に含まれる対象を追跡する。検出部１０４は、追跡されている前記対象から、生体認証の候補を検出する。判定部１０５は、追跡されている前記対象に対して行われた生体認証の記録に基づいて、前記生体認証の候補に対して生体認証が行われたか判定する。認証部１０６は、前記生体認証の候補に対して生体認証が行われていないと判定された場合、第２撮影装置によって撮影された前記生体認証の候補の認証部位の映像に基づいて、前記生体認証の候補に対する生体認証を行う。第２撮影装置の撮影範囲は、前記第１撮影装置の撮影範囲の一部である。本実施形態の第１撮影装置は、第１の実施形態の広域カメラ２００に相当する。本実施形態の第２撮影装置は、第１の実施形態の認証カメラ３００に相当する。
【００９５】
本実施形態では、対象は、例えば、人物である。認証部位は、認証に使用する部位である。部位とは、例えば、体の一部である。認証部位は、例えば、虹彩である。認証は、例えば、生体認証である。生体認証は、例えば、虹彩認証である。ただし、本実施形態は、これらに限られない。
【００９６】
＜動作＞
次に、本実施形態に係る認証システム１１の動作について説明する。以下では、対象が人物であり、認証部位が虹彩であり、認証が虹彩認証である場合について説明する。図７は、本実施形態の認証システム１１の動作の例を表すフローチャートである。認証システム１１は、例えばオペレータの操作によって、図７に示す動作を開始してよい。認証システム１１は、例えばオペレータが動作を終了する指示を行うまで、図７に示す動作を繰り返してもよい。
【００９７】
図７に示す動作では、追跡部１０２が、第１撮影装置（例えば広域カメラ２００）によって撮影された映像において、人物を追跡する（ステップＳ２０１）。次に、検出部１０４が、候補人物を検出する（ステップＳ２０２）。候補人物が検出されない場合（ステップＳ２０３においてＮＯ）、認証システム１１は、図７に示す動作を終了する。
【００９８】
候補人物が検出された場合（ステップＳ２０３においてＹＥＳ）、判定部１０５は、追跡されている人物に対して行われた虹彩認証の記録に基づいて、検出された候補人物に対して虹彩認証が行われたか判定する（ステップＳ２０４）。候補人物に対して虹彩認証が行われた場合、言い換えると、候補人物の虹彩認証が行われた場合（ステップＳ２０５においてＹＥＳ）、認証システム１１は、図７に示す動作を終了する。
【００９９】
候補人物に対して虹彩認証が行われていない場合、言い換えると、候補人物の虹彩認証が行われていない場合（ステップＳ２０５においてＮＯ）、認証部１０６は、第２撮影装置（例えば認証カメラ３００）によって撮影された映像を使用して、候補人物の虹彩認証を行う（ステップＳ２０６）。
【０１００】
＜効果＞
本実施形態には、第１の実施形態の効果と同じ効果がある。その理由は、第１の実施形態の効果が生じる理由と同様である。
【０１０１】
＜第３の実施形態＞
次に、本発明の第３の実施形態について、図面を参照して詳細に説明する。
【０１０２】
＜構成＞
まず、本実施形態の構成について説明する。図８は、本実施形態に係る認証システム１２の構成の例を表すブロック図である。
【０１０３】
本実施形態に係る認証システム１２は、追跡部１０２と、認証部１０６と、生成部１０７と、出力部１０８と、を備える。
【０１０４】
追跡部１０２は、第１撮影装置によって撮影された映像に含まれる対象を追跡する。認証部１０６は、追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う。生成部１０７は、追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する。出力部１０８は、生成された前記出力画像を出力する。本実施形態の第１撮影装置は、第１の実施形態の広域カメラ２００に相当する。本実施形態の第２撮影装置は、第１の実施形態の認証カメラに相当する。
【０１０５】
本実施形態では、対象は、例えば、人物である。認証部位は、認証に使用する部位である。部位とは、例えば、体の一部である。認証部位は、例えば、虹彩である。認証は、例えば、生体認証である。生体認証は、例えば、虹彩認証である。ただし、本実施形態は、これらに限られない。
【０１０６】
＜動作＞
次に、本実施形態の動作について説明する。以下では、対象が人物であり、認証部位が虹彩であり、認証が虹彩認証である場合について説明する。図９は、本実施形態に係る認証システム１２の動作の例を表すフローチャートである。認証システム１２は、例えばオペレータの操作によって、図９に示す動作を開始してよい。認証システム１２は、例えばオペレータが動作を終了する指示を行うまで、図９に示す動作を繰り返してもよい。
【０１０７】
図９に示す動作では、追跡部１０２が、第１撮影装置（例えば広域カメラ２００）によって撮影された映像において、人物を追跡する（ステップＳ３０１）。虹彩を撮影できる範囲に人物がいない場合（ステップＳ３０２においてＮＯ）、認証システム１２は、次に、ステップＳ３０４の動作を行う。
【０１０８】
虹彩を撮影できる範囲に人物がいる場合（ステップＳ３０２においてＹＥＳ）、認証部１０６は、第２撮影装置（例えば認証カメラ３００）によって撮影された映像を使用して、候補人物の虹彩認証を行う（ステップＳ３０３）。認証システム１２は、次に、ステップＳ３０４の動作を行う。
【０１０９】
生成部１０７は、追跡されている前記人物に対して行われた虹彩認証の記録に基づいて、追跡されている人物と、その人物に対して虹彩認証が行われたか否かと、を示すマークが重畳された、第１撮影装置の撮影範囲を表す出力画像を生成する（ステップＳ３０４）。生成部１０７は、第１の実施形態の生成部１０７と同様の出力画像を生成してよい。
【０１１０】
出力部１０８は、生成された出力画像を、例えば、表示装置等に出力する（ステップＳ３０５）。そして、認証システム１２は、図７に示す動作を終了する。
【０１１１】
＜効果＞
本実施形態には、虹彩認証などの生体認証が行われていない人物を容易に把握することができると言う効果がある。その理由は、生成部１０７が、追跡中の人物を示し、その人物に対して虹彩認証が行われたか否かを示すマークが重畳された、第１撮影装置の撮影範囲を表す出力画像を生成するからである。そして、出力部１０８が、生成された出力画像を出力するからである。
【０１１２】
＜他の実施形態＞
第１の実施形態の認証システム１０の認証装置１００、第２の実施形態の認証システム１１、及び、第３の実施形態の認証システム１２は、メモリにロードされたプログラムを実行するプロセッサを含むコンピュータによって実現できる。第１の実施形態の認証システム１０の認証装置１００、第２の実施形態の認証システム１１、及び、第３の実施形態の認証システム１２は、例えば回路等の専用のハードウェアによっても実現できる。第１の実施形態の認証システム１０の認証装置１００、第２の実施形態の認証システム１１、及び、第３の実施形態の認証システム１２は、上述のコンピュータと専用のハードウェアとの組み合わせによっても実現できる。上述のコンピュータは通信可能に接続された、複数のコンピュータであってもよい。上述の専用のハードウェアは、通信可能に接続された複数の回路であってもよい。
【０１１３】
図１０は、認証システム１０の認証装置１００、認証システム１１、認証システム１２を実現できるコンピュータ１０００のハードウェア構成の例を表すブロック図である。
【０１１４】
コンピュータ１０００は、プロセッサ１００１と、メモリ１００２と、記憶装置１００３と、Ｉ／Ｏ（Ｉｎｐｕｔ／Ｏｕｔｐｕｔ）インタフェース１００４とを含む。また、コンピュータ１０００は、記憶媒体１００５にアクセスすることができる。メモリ１００２と記憶装置１００３は、例えば、ＲＡＭ（Ｒａｎｄｏｍ  Ａｃｃｅｓｓ  Ｍｅｍｏｒｙ）、ハードディスクなどの記憶装置である。記憶媒体１００５は、例えば、ＲＡＭ、ハードディスクなどの記憶装置、ＲＯＭ（Ｒｅａｄ  Ｏｎｌｙ  Ｍｅｍｏｒｙ）、可搬記憶媒体である。記憶装置１００３が記憶媒体１００５であってもよい。プロセッサ１００１は、メモリ１００２と、記憶装置１００３に対して、データやプログラムの読み出しと書き込みを行うことができる。プロセッサ１００１は、Ｉ／Ｏインタフェース１００４を介して、例えば、広域カメラ２００、認証カメラ３００、及び、表示装置４００にアクセスすることができる。プロセッサ１００１は、記憶媒体１００５にアクセスすることができる。記憶媒体１００５には、コンピュータ１０００を、上述の実施形態に係る認証装置及び認証システムのいずれかとして動作させるプログラムが格納されている。
【０１１５】
プロセッサ１００１は、記憶媒体１００５から読み出したプログラムをメモリ１００２にロードし、メモリ１００２にロードされたプログラムを実行する。それにより、コンピュータ１０００は、上述の実施形態に係る認証装置及び認証システムのいずれかとして動作する。
【０１１６】
具体的には、取得部１０１、追跡部１０２、検出部１０４、判定部１０５、認証部１０６、生成部１０７、出力部１０８は、例えば、メモリ１００２にロードされたプログラムを実行するプロセッサ１００１によって実現される。記憶部１０３は、例えば、メモリ１００２や記憶装置１００３によって実現される。取得部１０１、追跡部１０２、記憶部１０３、検出部１０４、判定部１０５、認証部１０６、生成部１０７、出力部１０８の一部又は全部は、回路等の専用のハードウェアによっても実現できる。
【０１１７】
また、上記の実施形態の一部又は全部は、以下の付記のようにも記載されうるが、以下には限られない。
【０１１８】
（付記１）
第１撮影装置によって撮影された映像に含まれる対象を追跡する追跡手段と、
追跡されている前記対象から、生体認証の候補を検出する検出手段と、
追跡されている前記対象に対して行われた生体認証の記録に基づいて、前記生体認証の候補に対して生体認証が行われたか判定する判定手段と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証手段と、
を備える認証システム。
【０１１９】
（付記２）
前記認証手段は、前記生体認証の候補に対して生体認証が行われたと判定された場合、前記生体認証の候補に対する生体認証を行わない
付記１に記載の認証システム。
【０１２０】
（付記３）
前記生体認証の候補に対して生体認証が行われていないと判定された場合、前記生体認証の候補の前記認証部位を撮影するように前記第２撮影装置を制御する制御手段
をさらに備える付記１又は２に記載の認証システム。
【０１２１】
（付記４）
追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
をさらに備える付記１乃至３のいずれか一項に記載の認証システム。
【０１２２】
（付記５）
前記生成手段は、前記第１撮影装置によって撮影された映像に、前記マークが重畳することによって、前記出力画像を生成する
付記４に記載の認証システム。
【０１２３】
（付記６）
前記生成手段は、生体認証が行われた前記対象を示す前記マークとして、当該対象の情報が付加された前記マークを前記出力画像に重畳する、
付記４又は５に記載の認証システム。
【０１２４】
（付記７）
前記第１撮影装置と、
前記第２撮影装置と、
を含む、付記１乃至６のいずれか一項に記載の認証システム。
【０１２５】
（付記８）
第１撮影装置によって撮影された映像に含まれる対象を追跡する追跡手段と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証手段と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
を備える認証システム。
【０１２６】
（付記９）
前記認証部位は虹彩であり、前記生体認証は虹彩認証である
付記１乃至８のいずれか１項に記載の認証システム。
【０１２７】
（付記１０）
第１撮影装置によって撮影された映像に含まれる対象を追跡し、
追跡されている前記対象から、生体認証の候補を検出し、
追跡されている前記対象に対して行われた生体認証の記録に基づいて、前記生体認証の候補に対して生体認証が行われたか判定し、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う、
認証方法。
【０１２８】
（付記１１）
前記生体認証の候補に対して生体認証が行われたと判定された場合、前記生体認証の候補に対する生体認証を行わない
付記１０に記載の認証方法。
【０１２９】
（付記１２）
前記生体認証の候補に対して生体認証が行われていないと判定された場合、前記生体認証の候補の前記認証部位を撮影するように前記第２撮影装置を制御する
付記１０又は１１に記載の認証方法。
【０１３０】
（付記１３）
追跡されている前記対象と、当該対象に対して生体認証が行われたか否かと、を示すマークが重畳された、前記第１撮影装置の前記撮影範囲を表す出力画像を生成し、
生成された前記出力画像を出力する、
付記１０乃至１２のいずれか一項に記載の認証方法。
【０１３１】
（付記１４）
前記第１撮影装置によって撮影された映像に、前記マークが重畳することによって、前記出力画像を生成する
付記１３に記載の認証方法。
【０１３２】
（付記１５）
生体認証が行われた前記対象を示す前記マークとして、当該対象の情報が付加された前記マークを前記出力画像に重畳する、
付記１３又は１４に記載の認証方法。
【０１３３】
（付記１６）
第１撮影装置によって撮影された映像に含まれる対象を追跡し、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行い、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成し、
生成された前記出力画像を出力する、
認証方法。
【０１３４】
（付記１７）
前記認証部位は虹彩であり、前記生体認証は虹彩認証である
付記１０乃至１６のいずれか１項に記載の認証方法。
【０１３５】
（付記１８）
第１撮影装置によって撮影された映像に含まれる対象を追跡する追跡処理と、
追跡されている前記対象から、生体認証の候補を検出する検出処理と、
追跡されている前記対象に対して行われた生体認証の記録に基づいて、前記生体認証の候補に対して生体認証が行われたか判定する判定処理と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証処理と、
をコンピュータに実行させるプログラムを記憶する記憶媒体。
【０１３６】
（付記１９）
前記認証処理は、前記生体認証の候補に対して生体認証が行われたと判定された場合、前記生体認証の候補に対する生体認証を行わない
付記１８に記載の記憶媒体。
【０１３７】
（付記２０）
前記生体認証の候補に対して生体認証が行われていないと判定された場合、前記生体認証の候補の前記認証部位を撮影するように前記第２撮影装置を制御する制御処理
をさらにコンピュータに実行させるプログラムを記憶する付記１８又は１９に記載の記憶媒体。
【０１３８】
（付記２１）
追跡されている前記対象と、当該対象に対して生体認証が行われたか否かと、を示すマークが重畳された、前記第１撮影装置の前記撮影範囲を表す出力画像を生成する生成処理と、
生成された前記出力画像を出力する出力処理と、
をさらにコンピュータに実行させるプログラムを記憶する付記１８乃至２０のいずれか一項に記載の記憶媒体。
【０１３９】
（付記２２）
前記生成処理は、前記第１撮影装置によって撮影された映像に、前記マークが重畳することによって、前記出力画像を生成する
付記２１に記載の記憶媒体。
【０１４０】
（付記２３）
前記生成処理は、生体認証が行われた前記対象を示す前記マークとして、当該対象の情報が付加された前記マークを前記出力画像に重畳する、
付記２１又は２２に記載の記憶媒体。
【０１４１】
（付記２４）
第１撮影装置によって撮影された映像に含まれる対象を追跡する追跡処理と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証処理と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成処理と、
生成された前記出力画像を出力する出力処理と、
をコンピュータに実行させるプログラムを記憶する記憶媒体。
【０１４２】
（付記２５）
前記認証部位は虹彩であり、前記生体認証は虹彩認証である
付記１８乃至２４のいずれか１項に記載の記憶媒体。
【０１４３】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【０１４４】
１０    認証システム
１１    認証システム
１２    認証システム
１００    認証装置
１０１    取得部
１０２    追跡部
１０３    記憶部
１０４    検出部
１０５    判定部
１０６    認証部
１０７    生成部
１０８    出力部
１０９    制御部
２００    広域カメラ
３００    認証カメラ
４００    表示装置
１０００    コンピュータ
１００１    プロセッサ
１００２    メモリ
１００３    記憶装置
１００４    Ｉ／Ｏインタフェース
１００５    記憶媒体
【図１】
2020065852.tif 000003
【図２】
2020065852.tif 000004
【図３】
2020065852.tif 000005
【図４】
2020065852.tif 000006
【図５】
2020065852.tif 000007
【図６】
2020065852.tif 000008
【図７】
2020065852.tif 000009
【図８】
2020065852.tif 000010
【図９】
2020065852.tif 000011
【図１０】
2020065852.tif 000012
【手続補正書】
【提出日】令和3年3月23日(2021.3.23)
【手続補正２】
【補正対象書類名】特許請求の範囲
【補正対象項目名】全文
【補正方法】変更
【補正の内容】
【特許請求の範囲】
【請求項１】
第１撮影装置によって撮影された映像に含まれる対象を追跡する追跡手段と、
追跡されている前記対象から、生体認証の候補を検出する検出手段と、
追跡されている前記対象に対して行われた生体認証の記録に基づいて、前記生体認証の候補に対して生体認証が行われたか判定する判定手段と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証手段と、
を備える認証システム。
【請求項２】
前記認証手段は、前記生体認証の候補に対して生体認証が行われたと判定された場合、前記生体認証の候補に対する生体認証を行わない
請求項１に記載の認証システム。
【請求項３】
前記生体認証の候補に対して生体認証が行われていないと判定された場合、前記生体認証の候補の前記認証部位を撮影するように前記第２撮影装置を制御する制御手段
をさらに備える請求項１又は２に記載の認証システム。
【請求項４】
追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
をさらに備える請求項１乃至３のいずれか一項に記載の認証システム。
【請求項５】
前記生成手段は、前記第１撮影装置によって撮影された映像に、前記マークが重畳することによって、前記出力画像を生成する
請求項４に記載の認証システム。
【請求項６】
前記生成手段は、生体認証が行われた前記対象を示す前記マークとして、当該対象の情報が付加された前記マークを前記出力画像に重畳する、
請求項４又は５に記載の認証システム。
【請求項７】
前記第１撮影装置と、
前記第２撮影装置と、
を含む、請求項１乃至６のいずれか一項に記載の認証システム。
【請求項８】
第１撮影装置によって撮影された映像に含まれる対象を追跡する追跡手段と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証手段と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成手段と、
生成された前記出力画像を出力する出力手段と、
を備える認証システム。
【請求項９】
前記認証部位は虹彩であり、前記生体認証は虹彩認証である
請求項１乃至８のいずれか１項に記載の認証システム。
【請求項１０】
第１撮影装置によって撮影された映像に含まれる対象を追跡し、
追跡されている前記対象から、生体認証の候補を検出し、
追跡されている前記対象に対して行われた生体認証の記録に基づいて、前記生体認証の候補に対して生体認証が行われたか判定し、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う、
認証方法。
【請求項１１】
第１撮影装置によって撮影された映像に含まれる対象を追跡し、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行い、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成し、
生成された前記出力画像を出力する、
認証方法。
【請求項１２】
第１撮影装置によって撮影された映像に含まれる対象を追跡する追跡処理と、
追跡されている前記対象から、生体認証の候補を検出する検出処理と、
追跡されている前記対象に対して行われた生体認証の記録に基づいて、前記生体認証の候補に対して生体認証が行われたか判定する判定処理と、
前記生体認証の候補に対して生体認証が行われていないと判定された場合、前記第１撮影装置の撮影範囲の一部が撮影範囲である第２撮影装置によって撮影された前記生体認証の候補の認証部位の映像に基づいて、前記生体認証の候補に対する生体認証を行う認証処理と、
をコンピュータに実行させるプログラム。
【請求項１３】
第１撮影装置によって撮影された映像に含まれる対象を追跡する追跡処理と、
追跡されている前記対象のうち、生体認証の候補に対する生体認証を、前記第１撮影装置の撮影範囲の一部が撮影範囲である第２撮影装置によって撮影された前記生体認証の候補の認証部位の映像に基づいて行う認証処理と、
追跡されている前記対象に対して行われた生体認証の記録に基づいて、追跡されている前記対象と、当該対象に対して生体認証が行われたか否かと、を示すマークが重畳された、前記第１撮影装置の前記撮影範囲を表す出力画像を生成する生成処理と、
生成された前記出力画像を出力する出力処理と、
をコンピュータに実行させるプログラム。
【国際調査報告】
2020065852.tif 000013
2020065852.tif 000014